(57)【特許請求の範囲】
【請求項１】
一方の建物の外側通路の外側壁面に形成された渡り通路用開口部の下部躯体にほぼ水平方向に固定されたスライドレールと、このスライドレールに沿ってスライド移動する、前記渡り通路用開口部の両側部位に前後方向の手摺あるいは壁が位置するように取付けられた門型支柱と、前記一方の建物の渡り通路用開口部と目地部を介して接続できるように他方の建物に形成された渡り通路用躯体と、この渡り通路用躯体の床面に一端部が左右方向にスライド移動可能に支持され、他端部の中央部が前記スライドレールに該スライドレールに沿って移動可能で、かつ一端部が水平方向に回動可能に係合ピンで係止された目地プレートと、この目地プレートの両側部に固定され、あるいは渡り通路用躯体の両側部にスライド移動可能に取付けられた左右方向の手摺あるいは壁と、この左右方向の手摺あるいは壁の前記門型支柱側の端部に隙間を介して固定された、該門型支柱とほぼ同形状の目地プレート用門型支柱と、この目地プレート用門型支柱のほぼ中央部に固定された前記門型支柱のほぼ中央部に枢支ピンで取付けられる取付板とからなることを特徴とする渡り通路用目地装置。
【請求項２】
一方の建物の外側通路の外側壁面に形成された渡り通路用開口部の下部躯体にほぼ水平方向に固定されたスライドレールと、このスライドレールに沿ってスライド移動する、前記渡り通路用開口部の両側部位に前後方向の手摺あるいは壁が位置するように取付けられた門型支柱と、前記一方の建物の渡り通路用開口部と目地部を介して接続できるように他方の建物に形成された渡り通路用躯体と、この渡り通路用躯体の床面に一端部が左右方向にスライド移動可能に支持され、他端部の中央部が前記スライドレールに該スライドレールに沿って移動可能で、かつ一端部が水平方向に回動可能に係合ピンで係止された目地プレートと、この目地プレートの両側部に固定され、あるいは渡り通路用躯体の両側部にスライド移動可能に取付けられた左右方向の手摺あるいは壁と、この左右方向の手摺あるいは壁の前記門型支柱側の端部に隙間を介して固定された、該門型支柱とほぼ同形状の目地プレート用門型支柱と、この目地プレート用門型支柱のほぼ中央部に固定された前記門型支柱のほぼ中央部に枢支ピンで取付けられる取付板と、前記門型支柱と前記目地プレート用門型支柱との間の隙間を覆うように取付けられた、伸縮可能なゴム材や遊びを有するように設けたシート材等の伸縮カバーとからなることを特徴とする渡る通路用目地装置。
【発明の詳細な説明】
【技術分野】
【０００１】
本発明は目地部を介して設けられた左右の建物間を接続するための渡り通路用目地装置に関する。
【背景技術】
【０００２】
従来の渡り通路用目地装置は、一方の建物の外側通路の外側壁面に形成された渡り通路用開口部と、この渡り通路用開口部と対応する他方の建物より突出された、該渡り通路用開口部と目地部を介して設けられた渡り通路とに、該渡り通路に対しては左右方向にスライド移動可能で、前記渡り通路用開口部に対しては前後方向にスライド移動可能な目地プレートおよび、両側部にＪ字状の手摺を設けていた。
【０００３】
このため、一方の建物と他方の建物とが異なる前後、左右方向の揺れ動きには損傷することなく、その揺れ動きを吸収することができるが、一方の建物が水平方向に回動するような揺れ動きにはＬ字状の手摺は損傷してしまうという欠点があった。
【特許文献１】特許第３１５４９５７号
【発明の開示】
【発明が解決しようとする課題】
【０００４】
本発明は以上のような従来の欠点に鑑み、左右の建物が水平方向に回動するような揺れ動きが生じても、その揺れ動きを吸収して損傷するのを防止することができるとともに、異なる前後左右方向の揺れ動きも確実に吸収して、損傷するのを防止することができる渡り通路用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は一方の建物の外側通路の外側壁面に形成された渡り通路用開口部の下部躯体にほぼ水平方向に固定されたスライドレールと、このスライドレールに沿ってスライド移動する、前記渡り通路用開口部の両側部位に前後方向の手摺あるいは壁が位置するように取付けられた門型支柱と、前記一方の建物の渡り通路用開口部と目地部を介して接続できるように他方の建物に形成された渡り通路用躯体と、この渡り通路用躯体の床面に一端部が左右方向にスライド移動可能に支持され、他端部の中央部が前記スライドレールに該スライドレールに沿って移動可能で、かつ一端部が水平方向に回動可能に係合ピンで係止された目地プレートと、この目地プレートの両側部に固定され、あるいは渡り通路用躯体の両側部にスライド移動可能に取付けられた左右方向の手摺あるいは壁と、この左右方向の手摺あるいは壁の前記門型支柱側の端部に隙間を介して固定された、該門型支柱とほぼ同形状の目地プレート用門型支柱と、この目地プレート用門型支柱のほぼ中央部に固定された前記門型支柱のほぼ中央部に枢支ピンで取付けられる取付板とで渡り通路用目地装置を構成している。
【発明の効果】
【０００７】
以上の説明から明らかなように、本発明にあっては次に列挙する効果が得られる。
【０００８】
（１）一方の建物の外側通路の外側壁面に形成された渡り通路用開口部の下部躯体にほぼ水平方向に固定されたスライドレールと、このスライドレールに沿ってスライド移動する、前記渡り通路用開口部の両側部位に前後方向の手摺あるいは壁が位置するように取付けられた門型支柱と、前記一方の建物の渡り通路用開口部と目地部を介して接続できるように他方の建物に形成された渡り通路用躯体と、この渡り通路用躯体の床面に一端部が左右方向にスライド移動可能に支持され、他端部の中央部が前記スライドレールに該スライドレールに沿って移動可能で、かつ一端部が水平方向に回動可能に係合ピンで係止された目地プレートと、この目地プレートの両側部に固定され、あるいは渡り通路用躯体の両側部にスライド移動可能に取付けられた左右方向の手摺あるいは壁と、この左右方向の手摺あるいは壁の前記門型支柱側の端部に隙間を介して固定された、該門型支柱とほぼ同形状の目地プレート用門型支柱と、この目地プレート用門型支柱のほぼ中央部に固定された前記門型支柱のほぼ中央部に枢支ピンで取付けられる取付板とで構成されているので、一方の建物と他方の建物とのいずれか一方が水平方向に回動するように揺れ動いても、左右の手摺あるいは壁面と、目地プレートの両側部に固定された前後手摺あるいは壁面とは固定されていないので、損傷することなく、その揺れ動きに追従して移動することができる。
【０００９】
（２）前記（１）によって、門型支柱と目地プレート用門型支柱とは取付板の枢支ピンを支点に回動するため、門型支柱に枢支ピンで枢支された目地プレート用門型支柱、目地プレートおよび前後の手摺あるいは壁面をスムーズに回動させることができる。
【００１０】
（３）前記（１）によって、一方の建物の渡り通路用開口部と他方の建物の渡り通路との間は目地プレート、左右の手摺あるいは壁面および前後の手摺あるいは壁面で覆われ、異なる前後方向へ揺れ動いても隙間なく覆うことができるので、安全に使用することができる。
【００１１】
（４）請求項２も前記（１）〜（３）と同様な効果が得られるとともに、門型支柱と目地プレート用門型支柱との間を伸縮カバーで覆うので、より安全に使用することができる。
【発明を実施するための最良の形態】
【００１２】
以下、図面に示す本発明を実施するための最良の形態により、本発明を詳細に説明する。
【００１３】
図１ないし図９に示す本発明を実施するための最良の第１の形態において、１は本発明の渡り通路用目地装置で、この渡り通路用目地装置１は一方の建物２の外側通路３の外側壁面４に形成された渡り通路用開口部５と、この渡り通路用開口部５の外側下部位置の躯体４ａにほぼ水平方向に固定されたスライドレール６と、このスライドレール６に沿ってスライド移動するスライド移動体７と、このスライド移動体７に下端部が固定された前記渡り通路用開口部５とほぼ同じ開口部となる門型支柱８と、この門型支柱８の両側部の支柱８ａ、８ａに固定されるとともに、前記スライド移動体７に固定された前後方向の手摺９、９と、前記一方の建物２の渡り通路用開口部５と目地部１０を介して接続できるように他方の建物１１に形成された床１２と両側壁１３、１３が形成された渡り通路用躯体１４と、この渡り通路用躯体１４の床１２に一端部が左右方向にスライド移動可能に支持され、他端部の中央部が前記門型支柱８のほぼ中央部に位置するスライド移動体７に枢支ピン１５で枢支された目地プレート１６と、前記門型支柱８と隙間１７を有するように前記目地プレート１６の両側部に固定された、該門型支柱８とほぼ同じ大きさの目地プレート用門型支柱１８と、この目地プレート用門型支柱１８に固定されるとともに、前記目地プレート１６の両側部に固定された前記渡り通路用躯体１４の両側壁１３、１３との間に隙間が生じないように所定量重なり合う左右方向の手摺１９、１９と、前記目地プレート用門型支柱１８のほぼ中央部に固定された、前記門型支柱８のほぼ中央部と枢支ピン２０で枢支される取付板２１と、前記門型支柱８と前記目地プレート用門型支柱１８との間の隙間１７を覆うように取付けられた、クッション材やゴムシートを用いた伸縮カバー２２とで構成されている。
【００１４】
上記構成の渡り通路用目地装置１は一方の建物２と他方の建物１１の両方あるいは一方が水平方向に回動するように地震等で揺れ動いた場合、図７に示すように、目地プレート１６および目地プレート用門型支柱１８、左右の手摺１９、１９は枢支ピン１５、２０を支点に回動し、その揺れ動きを吸収できる。
また、一方の建物２と他方の建物１１が異なる左右方向に揺れ動いた場合、図９に示すように、目地プレート１６および左右方向の手摺１９、１９は渡り通路用躯体１４の床１２および両側壁１３、１３に沿ってスライド移動し、渡り通路用開口部５、渡り通路用躯体１４の両側壁１３、１３との間に左右方向の手摺１９、１９が位置して、開口部が生じるのを防止することができる。
さらに、一方の建物２と他方の建物１１が異なる前後方向に揺れ動いた場合、図８に示すように、スライドレール６に沿ってスライド移動体７、門型支柱８および前後方向の手摺９、９がスライド移動し、渡り通路用開口部５を前後方向の手摺９、９によって隙間が生じないように覆うことができる。
[発明を実施するための異なる形態]
【００１５】
次に、図１０ないし図２２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１６】
図１０ないし図１２に示す本発明を実施するための第２の形態において、前記本発明を実施するための最良の第１の形態と主に異なる点は、門型支柱８の両側部位にスライド移動体７に前後方向の壁２３、２３を固定するとともに、目地プレート用門型支柱１８と目地プレート１６の両側部に左右方向の壁２４、２４を固定した点で、このように前後方向の壁２３、２３と左右方向の壁２４、２４を左右の手摺や前後方向の手摺にかえて使用した渡り通路用目地装置１Ａにしても
前記本発明を実施するための最良の第１の形態と同様な作用効果が得られる。
【００１７】
図１３ないし図１５に示す本発明を実施するための第３の形態において、前記本発明を実施するための第２の形態と主に異なる点は、左右方向の壁２４、２４の上面に天井２５を取付けた点で、このように構成された渡り通路用目地装置１Ｂにしても、前記本発明を実施するための第２の形態と同様な作用効果が得られる。
【００１８】
図１６ないし図１８に示す本発明を実施するための第４の形態において、前記本発明を実施するための最良の第１の形態と主に異なる点は、渡り通路用躯体１４の目地部側床面に目地プレート１６がスライド移動可能な凹部２６を形成し、該凹部２６を目地プレート１６がスライド移動可能にカバー板２７で覆うとともに、目地プレート用門型支柱１８に固定された左右方向の手摺１９、１９をカバー板２７上をスライド移動できるように取付けた点で、このように構成した渡り通路用目地装置１Ｃにしても、前記本発明を実施するための最良の第１の形態と同様な作用効果が得られる。
なお、２８、２８は左右方向の手摺１９、１９を左右方向にスライド移動可能にガイドするガイド部材である。
【００１９】
図１９ないし図２２に示す本発明を実施するための第５の形態において、前記本発明を実施するための最良の第１の形態と主に異なる点は、渡り通路用躯体１４の野も側壁１３、１３の外側下部位置にほぼ水平状態で固定されたスライドレール２９、２９と、このスライドレール２９、２９に支持されて左右方向にスライド移動する前記側壁１３、１３覆い前記目地プレート１６と一体に形成された左右の手摺壁３０、３０と、門型支柱８Ａの上部辺８ａの上面に上方に突出する用に一体あるいは別体に形成された振れ止めレール３２と、この振れ止めレール３２を前後方向にスライド移動するように該振れ止めレール３２の上部位置の一方の建物２の渡り通路用開口部５の外側躯体４ｂにほぼ水平方向に固定されたクランク状のガイド片３１とを用いた点で、このように構成された渡り通路用目地装置１Ｄにしても、前記本発明を実施するための最良の第１の形態と同様な作用効果が得られるとともに、門型支柱８Ａの上部が前後方向に振れるのを確実に防止することができる。
【産業上の利用可能性】
【００２０】
本発明は渡り通路用目地装置を製造する産業で利用される。
【図面の簡単な説明】
【００２１】
【図１】本発明を実施するための最良の第１の形態の平面図。
【図２】図１の２−２線に沿う断面図。
【図３】本発明を実施するための最良の第１の形態の渡り通路用開口部の説明図。
【図４】本発明を実施するための最良の第１の形態の前後方向の手摺が取付けられた門型支柱の説明図。
【図５】本発明を実施するための最良の第１の形態の目地プレートの説明図。
【図６】左右方向の手摺が取付けられた目地プレート用門型支柱の説明図。
【図７】本発明を実施するための最良の第１の形態の水平方向に回動した状態の説明図。
【図８】本発明を実施するための最良の第１の形態の異なる前後方向に移動した状態の説明図。
【図９】本発明を実施するための最良の第１の形態の異なる左右方向に移動した状態の説明図。
【図１０】本発明を実施するための第２の形態の平面図。
【図１１】図１０の１１−１１線に沿う断面図。
【図１２】図１０の１２−１２線に沿う断面図。
【図１３】本発明を実施するための第３の形態の平面図。
【図１４】図１３の１４−１４線に沿う断面図。
【図１５】図１３の１５−１５線に沿う断面図。
【図１６】本発明を実施するための第４の形態の平面図。
【図１７】図１６の１７−１７線に沿う断面図。
【図１８】図１６の１８−１８線に沿う断面図。
【図１９】本発明を実施するための第５の形態の平面図。
【図２０】図１９の２０−２０線に沿う断面図。
【図２１】本発明を実施するための第５の形態の前後方向の手摺が取付けられた門型支柱の説明図。
【図２２】図１９の２２−２２線に沿う断面図。
【符号の説明】
【００２２】
１、１Ａ、１Ｂ、１Ｃ、１Ｄ：渡り通路用目地装置、
２：一方の建物、                            ３：外側通路、
４：外側壁面、                              ５：渡り通路用開口部、    
６：スライドレール、                    ７：スライド移動体、
８、８Ａ：門型支柱、                                ９：前後方向の手摺、
１０：目地部、                                １１：他方の建物、
１２：床、                                        １３：側壁、
１４：渡り通路用躯体、                １５：枢支ピン、
１６：目地プレート、                    １７：隙間、
１８：目地プレート用門型支柱、            １９：左右方向の手摺、
２０：枢支ピン、                            ２１：取付板、
２２：伸縮カバー、                                    ２３：前後方向の壁、
２４：左右方向の壁、                    ２５：天井、
２６：凹部、                                                ２７：カバー板、
２８：ガイド部材、            ２９：スライドレール、
３０：手摺壁、                ３１：ガイド片、
３２：振れ止めレール。
【図１】
0004801642.tif 000002
【図２】
0004801642.tif 000003
【図３】
0004801642.tif 000004
【図４】
0004801642.tif 000005
【図５】
0004801642.tif 000006
【図６】
0004801642.tif 000007
【図７】
0004801642.tif 000008
【図８】
0004801642.tif 000009
【図９】
0004801642.tif 000010
【図１０】
0004801642.tif 000011
【図１１】
0004801642.tif 000012
【図１２】
0004801642.tif 000013
【図１３】
0004801642.tif 000014
【図１４】
0004801642.tif 000015
【図１５】
0004801642.tif 000016
【図１６】
0004801642.tif 000017
【図１７】
0004801642.tif 000018
【図１８】
0004801642.tif 000019
【図１９】
0004801642.tif 000020
【図２０】
0004801642.tif 000021
【図２１】
0004801642.tif 000022
【図２２】
0004801642.tif 000023